(57)【特許請求の範囲】
【請求項１】
ＰＲＭＬ処理方式を利用して情報の再生を行う情報再生方法において、
注目クロックのサンプリング位置での評価関数の値と該注目クロックの前後クロックのサンプリング位置での評価関数の値との大小比較を各々行い、
前記注目クロックのサンプリング位置での評価関数の値が最も小さい場合には前記注目クロックのサンプリング位置での３値化データを、遷移状態を示す値に量子化し、
前記前後クロックのサンプリング位置での評価関数の値のいずれかが最も小さい場合には前記注目クロックのサンプリング位置での加算信号に従い量子化することを特徴とする情報再生方法。
【請求項２】
ＰＲＭＬ処理方式を利用して情報の再生を行う情報再生方法において、
注目クロックのサンプリング位置での評価関数の値と該注目クロックの前後クロックのサンプリング位置での評価関数の値との大小比較を各々行い、
前記注目クロックのサンプリング位置での評価関数の値が最も小さい場合には前記注目クロックのサンプリング位置での３値化データを、遷移状態を示す値に量子化し、
前記前後クロックのサンプリング位置での評価関数の値のいずれかが最も小さい場合には前記注目クロックのサンプリング位置で得られるアナログ信号の振幅を示すＡＤデータに従い量子化することを特徴とする情報再生方法。
【請求項３】
ＰＲＭＬ処理方式を利用して情報の再生を行う情報再生方法において、
注目クロックのサンプリング位置での評価関数の値と該注目クロックの前後クロックのサンプリング位置での評価関数の値との大小比較を各々行い、
前記注目クロックのサンプリング位置での評価関数の値が最も小さい場合には前記注目クロックのサンプリング位置での３値化データを、遷移状態を示す値に量子化し、
前記前後クロックのサンプリング位置での評価関数の値のいずれかが最も小さい場合には前記注目クロックのサンプリング位置での加算信号及び前記注目クロックのサンプリング位置で得られるアナログ信号の振幅を示すＡＤデータに従い量子化することを特徴とする情報再生方法。
【請求項４】
ＰＲＭＬ処理方式を利用して情報の再生を行う情報再生方法において、
注目クロックのサンプリング位置での評価関数の値と該注目クロックの後クロックのサンプリング位置での評価関数の値との大小比較を行い、
前記注目クロックのサンプリング位置での評価関数の値が小さい場合には前記注目クロックのサンプリング位置での３値化データを、遷移状態を示す値に量子化し、
前記後クロックのサンプリング位置での評価関数の値が小さい場合には前記注目クロックのサンプリング位置での加算信号に従い量子化することを特徴とする情報再生方法。
【請求項５】
ＰＲＭＬ処理方式を利用して情報の再生を行う情報再生方法において、
注目クロックのサンプリング位置での評価関数の値と該注目クロックの後クロックのサンプリング位置での評価関数の値との大小比較を行い、
前記注目クロックのサンプリング位置での評価関数の値が小さい場合には前記注目クロックのサンプリング位置での３値化データを、遷移状態を示す値に量子化し、
前記後クロックのサンプリング位置での評価関数の値が小さい場合には前記注目クロックのサンプリング位置で得られるアナログ信号の振幅を示すＡＤデータに従い量子化することを特徴とする情報再生方法。
【請求項６】
ＰＲＭＬ処理方式を利用して情報の再生を行う情報再生方法において、
注目クロックのサンプリング位置での評価関数の値と該注目クロックの後クロックのサンプリング位置での評価関数の値との大小比較を行い、
前記注目クロックのサンプリング位置での評価関数の値が小さい場合には前記注目クロックのサンプリング位置での３値化データを、遷移状態を示す値に量子化し、
前記後クロックのサンプリング位置での評価関数の値が小さい場合には前記注目クロックのサンプリング位置での加算信号及び前記注目クロックのサンプリング位置で得られるアナログ信号の振幅を示すＡＤデータに従い量子化することを特徴とする情報再生方法。
【発明の詳細な説明】
【０００１】
【発明の属する技術分野】
本発明は、高密度記録媒体に記録された情報を再生するための情報再生方法に関する。
【０００２】
【従来の技術】
近年、次世代の大容量光ディスクとして高密度のＤＶＤ（Ｄigital Ｖersatile Ｄisk又はＤigital Ｖideo Ｄisk）が注目を浴びている。このＤＶＤとしては、ＤＶＤ‐ＲＡＭ（Ｒandom Ａccess Ｍemory）、 ＤＶＤ‐ＲＯＭ（Ｒead Ｏnly Ｍemory）、ＤＶＤ‐Ｒ（Ｒecordable）等が知られている。そして、ＤＶＤの次の世代では、この記録密度をさらに向上させることが必要とされている。このような記録密度の向上を図るための再生系の処理方式として、ＨＤＤや通信などの分野で利用されてＰＲＭＬ（Ｐartial Ｒesponse Ｍaximum Ｌikelihood） 方式を導入することが検討されている。
【０００３】
ここで、このようなＰＲＭＬ方式の導入の検討に至るＤＶＤ用の一般的な記録再生方式を図８を参照して説明する。まず、記録系について説明する。パソコン（図示せず）などの上位機とのインタフェースを制御するインタフェース部（Ｉ／Ｆ）１でデータとコマンドとを分けて当該記録再生装置を制御する。この内、データはＩ／Ｆ１からバッファマネージャ２を通して、一旦、ＲＡＭ３に格納される。このＲＡＭ３に格納されたデータがデジタル変調部４に送出される。このデジタル変調部４はユーザデータに誤り訂正符号や同期信号を付加して、前記変調方式、例えば、ＥＦＭ（Ｅight-Ｆourteen Ｍodulation）に従ってビット列データに変換する。この変調された信号が発光強度等を制御するアナログ記録系５を介して光ピックアップ６に出力され、スピンドルモータ７により回転駆動されている光ディスク（情報記録媒体）８に対して光ピックアップ６中のＬＤ（半導体レーザ）の発光を利用して記録が行われる。
【０００４】
次に、再生系について説明する。光ディスク８に記録された情報が光ピックアップ６により読み取られ、そのアナログ信号中のＤＣ変動成分等がアナログ再生系９で除去処理される。そして、アナログ再生系９から得られるアナログ信号に同期した同期信号をＰＬＬ（Ｐhase Ｌocked Ｌoop）回路１０で取りながら、２値化回路１１で２値のデジタル信号に変換するようにしている。２値に変換されたデジタル信号はデジタル復調部１２で同期の検出や変調の復調処理を受けたり、誤り訂正符号に基づき誤りの訂正処理等を受けて、バッファマネージャ２を通して、一旦、ＲＡＭ３に格納される。その後、このＲＡＭ３からＩ／Ｆ１を経てパソコン等に送出される。
【０００５】
ここで、２値化回路１１は、一般には、図９に示すように構成されている。即ち、アナログ再生系９より得られるアナログ信号と予め設定されたオフセットキャンセル用のリファレンス信号とを入力とするコンパレータ１３が用いられ、アナログ信号がリファレンス信号の電圧値より大きいか小さいかに応じて２値化するように構成されている。１４はコンパレータ１３の出力をＰＬＬ回路１０の同期クロック（再生クロック）に合わせてラッチするＤ型フリップフロップである。
【０００６】
ところが、このような一般的な２値化回路１１では、ＤＶＤ以上の高密度記録に対する再生処理としては符号間干渉等の問題で不十分なため、ＰＲＭＬ方式なる信号処理方式が検討されている。このＰＲＭＬ方式は、例えば、文献「NIKKEI ELECTRONICS 1994.1.17(no.599)」中の“信号処理方式ＰＲＭＬ  次世代の大容量記憶装置を支える」(p.71〜p.97） に紹介されている。このＰＲＭＬ方式は、図８中に示す２値化回路１１部分を、図１０に示すように、波形等化回路１５とｎ値化回路（例えば、３値化回路）１６と最尤復号回路１７とを順に接続することにより構成される。これにより、前記変調方式で記録された情報を光ディスク８から読み取ったアナログ信号を２値化する際に、１つ以上のアナログ信号の振幅をこのアナログ信号に同期したクロックの整数倍分遅延させ、その遅延量に対応した係数を乗算した値とアナログ信号の振幅に任意の係数を乗算した値とを加算して加算信号を得る処理を波形等化回路１５で行い、この加算信号を量子化間の閾値を用いてその加算した遅延量に対応した数に量子化して量子化データを得る処理をｎ値化回路１６で行い、この量子化データと前記変調方式の変調規則にない遷移を禁止する最尤復号を最尤復号回路１７で行うことを基本とする。
【０００７】
この内、波形等化回路１５とｎ値化回路１６とがＰＲＭＬ処理方式の性能を左右する。ここに、波形等化回路１５は例えば図１１に示すように構成されている。まず、再生されたアナログ信号をＰＬＬ回路１０の同期クロックに同期してデジタル信号に変換するＡ／Ｄ変換器１８が設けられている。このＡ／Ｄ変換器１８はアナログ信号を例えば８ビットのデジタル信号に量子化する。量子化されたこのデータをＤ型フリップフロップ１９に入力させることにより、１クロック前のデータが保持される。このＤ型フリップフロップ１９はＡ／Ｄ変換器１８が出力する多値（例えば、８値）に合わせたビット数とされている。このＤ型フリッブフロップ１９で１クロック分遅延されたデータとＡ／Ｄ変換器１８から得られる現在のデータとは加算器２０において加算され、ｎ値化回路１６に出力される加算信号が得られる。
【０００８】
このような波形等化回路１５における波形等化の動きを図１２を参照して説明する。図示例の再生波形は記録波形に対応する理想的な波形例を示している。この波形等化の出力、即ち、加算器２０の出力は、その出力レベルが変化するところが０Ｖ近辺の値と±２Ｖ近辺の値との何れかの値をとる。そこで、−２Ｖ，０Ｖ，＋２Ｖなる値を用いて３値化し、３つの状態信号を得て、最尤復号回路１７に出力し、最終的な２値化処理が適正に行われるようにしている。
【０００９】
この３値は、振幅が１の状態、振幅が０の状態、０から１或いは１から０への遷移状態の３つの状態を示している。この様子を書き替えて図１３に理想波形の場合で示す。Ｔｈ１，Ｔｈ２は３値化の閾値を示し、ＡＤ変換後データ及びＤ−ＦＦ後データはレベル６４又はレベル−６４として表されている。ここに、加算信号の値の内、閾値Ｔｈ１よりも小さい場合を２ビットで“１１”の状態とし、閾値Ｔｈ１，Ｔｈ２間の場合を２ビットで“００”の状態（遷移状態）とし、閾値Ｔｈ２よりも大きい場合を２ビットで“０１”の状態として３値化を行うものである（図１３中の下欄の３値化データ参照）。
【００１０】
【発明が解決しようとする課題】
ＰＲＭＬ処理方式に関しては、前述したように波形等化回路１５とｎ値化回路１６とがこの方式の性能を左右するものであり、波形等化回路１５の出力を量子化する部分がうまく動作しないと、誤りとなり、密度の向上に支障を来す。この誤りが発生しやすいケースとして、再生波形が変化する個所がクロックのサンプリング位置のずれなどにより前後してしまうケースが考えられる。即ち、図１２や図１３の図示例は理想波形の場合であるが、実際の再生動作においては、ＰＬＬ回路１０の位相がずれて、閾値Ｔｈ１，Ｔｈ２間の状態（遷移状態）が２サンプリングに渡って続いてしまうことがあり得る。この点を加算信号の波形例を示す図１４を参照して説明する。図中、“□”はサンプリング点を示す。サンプリング点１の場合、クロックが同期しているため、加算信号がレベル０付近の値をとっているが、サンプリング点２，３ではクロックが同期しておらず、閾値Ｔｈ１，Ｔｈ２間にこれらのサンプリング点２，３に対応する加算信号が存在している。このような状況の場合、従来にあっては、まず先に出現するサンプリング点２の時点で閾値Ｔｈ１，Ｔｈ２間にあることから“００”なる遷移状態と決定し、次のサンプリング点３では閾値Ｔｈ１，Ｔｈ２間にあるがサンプリング点２による“００”に続く状態であるため、強制的に“１１”状態と見做すようにしている。しかし、このような遷移状態“００”の認定は必ずしも正しくなく、結果として、エッジ部の量子化を誤ってしまうことがある。つまり、ＰＲＭＬ処理の内、波形等化回路の出力を量子化する部分がうまく動作しないと、再生処理に誤りを生じ、結果として光ディスク８の記録密度を向上させても無意味なものとなってしまう不都合を生ずる。
【００１１】
そこで、本発明は、高密度記録媒体に記録された情報の再生にＰＲＭＬ処理方式を利用するに当り、波形等化器の出力を量子化する際、特に、再生信号の変化点での量子化を行う際にその量子化を極力正確に行うことができ、これにより、情報記録媒体における記録密度の向上を有意義なものとすることができる情報再生方法を提供することを目的とする。
【００１２】
【課題を解決するための手段】
本発明の請求項１は、ＰＲＭＬ処理方式を利用して情報の再生を行う情報再生方法において、注目クロックのサンプリング位置での評価関数の値と注目クロックの前後クロックのサンプリング位置での評価関数の値との大小比較を各々行い、注目クロックのサンプリング位置での評価関数の値が最も小さい場合には前記注目クロックのサンプリング位置での３値化データを、遷移状態を示す値に量子化し、前後クロックのサンプリング位置での評価関数の値のいずれかが最も小さい場合には注目クロックのサンプリング位置での加算信号に従い量子化することを特徴とする。
請求項１によれば、注目クロックのサンプリング位置での評価関数の値と注目クロックの前後クロックのサンプリング位置での評価関数の値との大小比較を各々行い、注目クロックのサンプリング位置での評価関数の値が最も小さい場合には注目クロックのサンプリング位置での３値化データを、遷移状態を示す値に量子化し、前後クロックのサンプリング位置での評価関数の値のいずれかが最も小さい場合には注目クロックのサンプリング位置での加算信号に従い量子化することにより、遷移状態を示す値“００”に量子化する際に、前後のサンプリング位置でのデータ（評価関数の値）と比較して判定できるので、正しく量子化を行うことができる。よって、サンプリング位置のずれなどがあっても、量子化に伴う誤りを減少させることができ、光ディスクに高密度で記録された情報の再生を良好に行える。
【００１３】
また、本発明の請求項２は、ＰＲＭＬ処理方式を利用して情報の再生を行う情報再生方法において、注目クロックのサンプリング位置での評価関数の値と注目クロックの前後クロックのサンプリング位置での評価関数の値との大小比較を各々行い、注目クロックのサンプリング位置での評価関数の値が最も小さい場合には注目クロックのサンプリング位置での３値化データを、遷移状態を示す値に量子化し、前後クロックのサンプリング位置での評価関数の値のいずれかが最も小さい場合には注目クロックのサンプリング位置で得られるアナログ信号の振幅を示すＡＤデータに従い量子化することを特徴とする。
請求項２によれば、注目クロックのサンプリング位置での評価関数の値と注目クロックの前後クロックのサンプリング位置での評価関数の値との大小比較を各々行い、注目クロックのサンプリング位置での評価関数の値が最も小さい場合には注目クロックのサンプリング位置での３値化データを、遷移状態を示す値に量子化し、前後クロックのサンプリング位置での評価関数の値のいずれかが最も小さい場合には注目クロックのサンプリング位置で得られるアナログ信号の振幅を示すＡＤデータに従い量子化することにより、遷移状態を示す値“００”に量子化する際に、前後のサンプリング位置でのデータ（評価関数の値）と比較して判定できるので、正しく量子化を行うことができる。よって、サンプリング位置のずれなどがあっても、量子化に伴う誤りを減少させることができるとともに、加算信号に代えて注目クロックのサンプリング位置で得られるＡＤデータに基づき状態１又は２を判定しているので、量子化の誤りをより減らすことができる。
【００１４】
また、本発明の請求項３は、ＰＲＭＬ処理方式を利用して情報の再生を行う情報再生方法において、注目クロックのサンプリング位置での評価関数の値と注目クロックの前後クロックのサンプリング位置での評価関数の値との大小比較を各々行い、注目クロックのサンプリング位置での評価関数の値が最も小さい場合には注目クロックのサンプリング位置での３値化データを、遷移状態を示す値に量子化し、前後クロックのサンプリング位置での評価関数の値のいずれかが最も小さい場合には注目クロックのサンプリング位置での加算信号及び注目クロックのサンプリング位置で得られるアナログ信号の振幅を示すＡＤデータに従い量子化することを特徴とする。
請求項３によれば、注目クロックのサンプリング位置での評価関数の値と注目クロックの前後クロックのサンプリング位置での評価関数の値との大小比較を各々行い、注目クロックのサンプリング位置での評価関数の値が最も小さい場合には注目クロックのサンプリング位置での３値化データを、遷移状態を示す値に量子化し、前後クロックのサンプリング位置での評価関数の値のいずれかが最も小さい場合には注目クロックのサンプリング位置での加算信号及び注目クロックのサンプリング位置で得られるアナログ信号の振幅を示すＡＤデータに従い量子化することにより、遷移状態を示す値“００”に量子化する際に、前後のサンプリング位置でのデータ（評価関数の値）と比較して判定できるので、正しく量子化を行うことができる。よって、サンプリング位置のずれなどがあっても、量子化に伴う誤りを減少させることができるとともに、加算信号と注目クロックのサンプリング位置で得られるＡＤデータとに基づき状態１又は２を判定しているので、量子化の誤りをより減らすことができる。
【００１５】
本発明の請求項４は、ＰＲＭＬ処理方式を利用して情報の再生を行う情報再生方法において、注目クロックのサンプリング位置での評価関数の値と該注目クロックの後クロックのサンプリング位置での評価関数の値との大小比較を行い、注目クロックのサンプリング位置での評価関数の値が小さい場合には注目クロックのサンプリング位置での３値化データを、遷移状態を示す値に量子化し、後クロックのサンプリング位置での評価関数の値が小さい場合には注目クロックのサンプリング位置での加算信号に従い量子化することを特徴とする。
請求項４によれば、注目クロックのサンプリング位置での評価関数の値と注目クロックの後クロックのサンプリング位置での評価関数の値との大小比較を行い、注目クロックのサンプリング位置での評価関数の値が小さい場合には注目クロックのサンプリング位置での３値化データを、遷移状態を示す値に量子化し、後クロックのサンプリング位置での評価関数の値が小さい場合には注目クロックのサンプリング位置での加算信号に従い量子化することにより、遷移状態を示す値“００”に量子化する際に、後のサンプリング位置でのデータ（評価関数の値）と比較して判定できるので、正しく量子化を行うことができ、よって、サンプリング位置のずれなどがあっても、量子化に伴う誤りを減少させることができるとともに、計算時間（処理時間）を短縮でき、より高速化を図れるとともにハードウェア構成も小規模化できる。
【００１６】
また、本発明の請求項５は、ＰＲＭＬ処理方式を利用して情報の再生を行う情報再生方法において、注目クロックのサンプリング位置での評価関数の値と注目クロックの後クロックのサンプリング位置での評価関数の値との大小比較を行い、注目クロックのサンプリング位置での評価関数の値が小さい場合には注目クロックのサンプリング位置での３値化データを、遷移状態を示す値に量子化し、後クロックのサンプリング位置での評価関数の値が小さい場合には注目クロックのサンプリング位置で得られるアナログ信号の振幅を示すＡＤデータに従い量子化することを特徴とする。
請求項５によれば、注目クロックのサンプリング位置での評価関数の値と注目クロックの後クロックのサンプリング位置での評価関数の値との大小比較を行い、注目クロックのサンプリング位置での評価関数の値が小さい場合には注目クロックのサンプリング位置での３値化データを、遷移状態を示す値に量子化し、後クロックのサンプリング位置での評価関数の値が小さい場合には注目クロックのサンプリング位置で得られるアナログ信号の振幅を示すＡＤデータに従い量子化することにより、遷移状態を示す値“００”に量子化する際に、後のサンプリング位置でのデータ（評価関数の値）と比較して判定できるので、正しく量子化を行うことができ、よって、サンプリング位置のずれなどがあっても、量子化に伴う誤りを減少させることができるとともに、計算時間（処理時間）を短縮でき、より高速化を図れるとともにハードウェア構成も小規模化できる。
【００１７】
さらに、本発明の請求項６は、ＰＲＭＬ処理方式を利用して情報の再生を行う情報再生方法において、注目クロックのサンプリング位置での評価関数の値と注目クロックの後クロックのサンプリング位置での評価関数の値との大小比較を行い、注目クロックのサンプリング位置での評価関数の値が小さい場合には注目クロックのサンプリング位置での３値化データを、遷移状態を示す値に量子化し、後クロックのサンプリング位置での評価関数の値が小さい場合には注目クロックのサンプリング位置での加算信号及び注目クロックのサンプリング位置で得られるアナログ信号の振幅を示すＡＤデータに従い量子化することを特徴とする。
請求項６によれば、注目クロックのサンプリング位置での評価関数の値と注目クロックの後クロックのサンプリング位置での評価関数の値との大小比較を行い、注目クロックのサンプリング位置での評価関数の値が小さい場合には注目クロックのサンプリング位置での３値化データを、遷移状態を示す値に量子化し、後クロックのサンプリング位置での評価関数の値が小さい場合には注目クロックのサンプリング位置での加算信号及び注目クロックのサンプリング位置で得られるアナログ信号の振幅を示すＡＤデータに従い量子化することにより、遷移状態を示す値“００”に量子化する際に、後のサンプリング位置でのデータ（評価関数の値）と比較して判定できるので、正しく量子化を行うことができ、よって、サンプリング位置のずれなどがあっても、量子化に伴う誤りを減少させることができるとともに、計算時間（処理時間）を短縮でき、より高速化を図れるとともにハードウェア構成も小規模化できる。
【００２３】
【発明の実施の形態】
本発明の第一の実施の形態を図１に基づいて説明する。本実施の形態は、ＰＲＭＬ処理方式を利用して情報の再生を行うものであり、図８ないし図１４に示した部分と同一部分は同一符号を用いて示し、説明も省略する（以降の各実施の形態でも同様とする）。本実施の形態は、特に、或る状態から別の状態に遷移する遷移状態を示す値、ここでは“００”に量子化する際の判定処理に特長を有する。そこで、前述した図１４のケースを例に採り、本実施の形態による遷移状態を示す値“００”のより正しい判定方法の原理について説明する。
【００２４】
図１４に示す例は、実際の再生動作においてＰＬＬ回路１０の位相がずれて閾値Ｔｈ１，Ｔｈ２間の状態がサンプリング点２，３で示すように２サンプルに渡って続いているケースである。このような場合、本実施の形態では、サンプリング点２の加算信号の値よりサンプリング点３の加算信号の値の方が、遷移状態のレベルを示すレベル０に、より近いので、サンプリング点３側の状態を遷移状態を示す値“００”と判定し、その前のサンプリング点２の状態はレベル０に対して正側に位置しているので状態“０１”と判定するものである。つまり、各サンプリング位置のみのデータだけでなく、前後のサンプリング位置でのデータとの比較を行い、比較の結果、遷移状態のレベルを示すレベル０に一番近いサンプリング位置での状態を遷移状態を示す値“００”と判定するものである。ここに、何れのデータが遷移状態のレベルを示すレベル０に近いかを判断するために、加算信号を直接用いず、その値の絶対値を表現した評価関数を用いるようにしたものである。
【００２５】
図１はこの判定処理を含む３値化データの決定処理例を示すフローチャートである。ここに、注目クロックをｎで示し、その１クロック前をｎ−１、１クロック後をｎ＋１で示すものとする。そして、ＡＤ変換器１８から出力されるＡＤデータをＤ、加算器２０から得られる加算信号をＳ、この加算信号に基づく評価関数をＦ（Ｆ＝abs(Ｓ)；Ｓの絶対値）、３値化データをＱで示すものとし、
ＡＤデータ  ；  Ｄn-1   Ｄn   Ｄn+1 
加算信号    ；  Ｓn-1   Ｓn   Ｓn+1 （但し、Ｓn ＝Ｄn-1 ＋Ｄn ）
評価関数    ；  Ｆn-1   Ｆn   Ｆn+1 （但し、Ｆn ＝abs(Ｓn ))
３値化データ；  Ｄn-1   Ｄn   Ｄn+1 
のようなデータを有するものとする。
【００２６】
まず、注目クロックのサンプリング位置での評価関数の値Ｆn とその前後クロックのサンプリング位置での評価関数Ｆn-1 ，Ｆn+1 との大小比較を各々行う。比較の結果、Ｆn ＜Ｆn+1 、かつ、Ｆn ＜Ｆn-1 であれば（ステップＳ１のＹ）、評価関数Ｆn （従って、加算信号Ｓn ）が遷移状態のレベルを示すレベル０に一番近いと判断し、対応する３値化データＱn を遷移状態を示す値“００”に量子化する（Ｓ２）。一方、Ｆn ＜Ｆn+1 、かつ、Ｆn ＜Ｆn-1 でなければ（Ｓ１のＮ）、遷移状態ではないと見做し、加算信号Ｓn に従い通常通りに量子化する。即ち、加算信号Ｓn が遷移状態のレベルを示すレベル０よりも大きければ（Ｓ３のＹ）、対応する３値化データＱn を状態１を示す値“０１”に量子化し（Ｓ４）、加算信号Ｓn が遷移状態のレベルを示すレベル０よりも小さければ（Ｓ３のＮ）、対応する３値化データＱn を状態０を示す値“１１”に量子化する（Ｓ５）。
【００２７】
本実施の形態によれば、遷移状態を示す値“００”に量子化する際に、前後のサンプリング位置でのデータ（評価関数の値）と比較して判定しているので、正しく量子化を行うことができる。よって、サンプリング位置のずれなどがあっても、量子化に伴う誤りを減少させることができ、光ディスク８に高密度で記録された情報の再生を良好に行える。
【００２８】
本発明の第二の実施の形態を図２に基づいて説明する。本実施の形態は、基本的には第一の実施の形態の場合と同様であるが、Ｆn ＜Ｆn+1 、かつ、Ｆn ＜Ｆn-1 でなく（Ｓ１のＮ）、遷移状態ではないと見做された場合には、加算信号Ｓn に代えて、アナログ信号の振幅を示すＡＤデータＤn に従い量子化するようにされている。即ち、ＡＤデータＤn が遷移状態のレベルを示すレベル０よりも大きければ（Ｓ６のＹ）、対応する３値化データＱn を状態１を示す値“０１”に量子化し（Ｓ４）、ＡＤデータＤn が遷移状態のレベルを示すレベル０よりも小さければ（Ｓ６のＮ）、対応する３値化データＱn を状態０を示す値“１１”に量子化する（Ｓ５）。
【００２９】
本実施の形態による場合も、第一の実施の形態の場合と同様な効果が得られるが、加算信号Ｓn に代えて注目クロックｎのサンプリング位置で得られるＡＤデータＤn に基づき状態１又は２を判定しているので、量子化の誤りをより減らすことができる。
【００３０】
本発明の第三の実施の形態を図３に基づいて説明する。本実施の形態は、基本的には第一，二の実施の形態の場合と同様であるが、Ｆn ＜Ｆn+1 、かつ、Ｆn ＜Ｆn-1 でなく（Ｓ１のＮ）、遷移状態ではないと見做された場合には、加算信号Ｓn 単独やアナログ信号の振幅を示すＡＤデータＤn 単独による場合に代えて、これらの加算信号Ｓn とＡＤデータＤn とに従い量子化するようにされている。即ち、（ｋ1Ｓn＋ｋ2Ｄn）が遷移状態のレベルを示すレベル０よりも大きければ（Ｓ７のＹ）、対応する３値化データＱn を状態１を示す値“０１”に量子化し（Ｓ４）、（ｋ1Ｓn＋ｋ2Ｄn）が遷移状態のレベルを示すレベル０よりも小さければ（Ｓ７のＮ）、対応する３値化データＱn を状態０を示す値“１１”に量子化する（Ｓ５）。ここに、加算信号Ｓn やＡＤデータＤn に掛けられる係数ｋ1 ，ｋ2 はｋ1 ＋ｋ2 ＝１を満たすことを条件に適宜値に設定される。
【００３１】
本実施の形態による場合も、第一の実施の形態の場合と同様な効果が得られるが、加算信号Ｓn と注目クロックｎのサンプリング位置で得られるＡＤデータＤn とに基づき状態１又は２を判定しているので、量子化の誤りをより減らすことができる。
【００３２】
本発明の第四の実施の形態を図４に基づいて説明する。本実施の形態は、基本的には第一ないし第三の実施の形態の場合と同様であるが、ステップＳ１の判定処理に代えて、注目クロックのサンプリング位置での評価関数の値Ｆn とその１クロック後のサンプリング位置での評価関数Ｆn+1 との大小比較に基づき判定する（Ｓ８）ようにしたものである。閾値Ｔｈ１，Ｔｈ２間の状態が２サンプリング点に渡って続くことはあっても３サンプリング点に渡って続くことは殆どないので、現実的には、１クロック後のサンプリング位置のデータと比較すれば十分である。よって、本実施の形態によれば、計算時間（処理時間）を短縮でき、より高速化を図れるとともにハードウェア構成も小規模化できる。
【００３３】
なお、図４は図３に示した第三の実施の形態に準ずる例として示したが、図１，図２に示した第一、二の実施の形態にあってもそのステップＳ１をステップＳ８に代えることにより同様に適用できる。
【００３４】
本発明の第五の実施の形態を図５に基づいて説明する。本実施の形態は、前述した第一ないし第四の何れの形態にも適用可能であるが、ステップＳ８又はＳ１の比較処理に先立ち、評価関数Ｆの符号の変化の有無を判定し（Ｓ９）、変化がなければ比較処理を行わずに３値化データを１クロック前のままとし（Ｑn ＝Ｑn-1 ）、変化があったら比較処理（Ｓ８）を行うようにしたものである。即ち、ステップＳ８の比較処理を必ずしも常に行わずに、評価関数Ｆの符号が変化した場合のみ行うようにしたものである。
【００３５】
そこで、本実施の形態では、評価関数Ｆの符号の変化の有無を判定するために、加算信号の符号としてｓ（Ｓ＞０のときｓ＝１，Ｓ≦０のときｓ＝０とする）を用いる。従って、本実施の形態では、
ＡＤデータ    ；  Ｄn-1   Ｄn   Ｄn+1 
加算信号      ；  Ｓn-1   Ｓn   Ｓn+1 （但し、Ｓn ＝Ｄn-1 ＋Ｄn ）
評価関数      ；  Ｆn-1   Ｆn   Ｆn+1 （但し、Ｆn ＝abs(Ｓn ))
加算信号の符号；  ｓn-1   ｓn   ｓn+1 
３値化データ  ；  Ｄn-1   Ｄn   Ｄn+1 
のようなデータを有するものとする。
【００３６】
まず、ｓn-1 ＋ｓn ＋ｓn+1 ＝０又はｓn-1 ＋ｓn ＋ｓn+1 ＝３であれば、評価関数Ｆn-1 ，Ｆn ，Ｆn+1 の符号は変化していないことになる。従って、ｓn-1 ＋ｓn ＋ｓn+1 ＝０又はｓn-1 ＋ｓn ＋ｓn+1 ＝３であれば（Ｓ９のＮ）、３値化データを１クロック前のまま、即ち、Ｑn ＝Ｑn-1 とする（Ｓ１０）。一方、Ｆn-1 ，Ｆn ，Ｆn+1 の符号が変化し、ｓn-1 ＋ｓn ＋ｓn+1 ＝０，ｓn-1 ＋ｓn ＋ｓn+1 ＝３の何れでもなければ（Ｓ９のＹ）、遷移状態を判定するために比較処理（Ｓ８）以降の処理を行う。
【００３７】
従って、本実施の形態によれば、遷移状態を示す値“００”に量子化する際に全てのクロックのサンプリング位置での評価関数の比較を要せず、評価関数の符号が変化し遷移状態であると推測され得る場合だけの比較処理で済み、処理時間を短縮させることができ、より高速化を図れるとともにハードウェア構成も小規模化できる。
【００３８】
なお、図５は図４に示した第四の実施の形態に準ずる例として示したが、図１ないし図３に各々示した第一ないし第三の実施の形態にあっても、ステップＳ９及びＳ１０を付加することにより同様に適用できる。
【００３９】
本発明の第六の実施の形態を図６に基づいて説明する。本実施の形態は、基本的には第五の実施の形態の場合と同様であるが、ステップＳ９に代えて、その判断条件に変調規則が考慮されたステップＳ１１とされている。即ち、評価関数の符号の変化があった場合でも、予め決められた変調方式の最小ランレングス、ここでは３Ｔよりも短い場合には変化がなかったものと見做し、比較処理（Ｓ８）を行わないようにしたものである。最小ランレングス以内であるか否かを判定するために、デジタル復調部１２側から供給される復調データＲが用いられる。従って、本実施の形態では、
ＡＤデータ    ；  Ｄn-1   Ｄn   Ｄn+1 
加算信号      ；  Ｓn-1   Ｓn   Ｓn+1 （但し、Ｓn ＝Ｄn-1 ＋Ｄn ）
評価関数      ；  Ｆn-1   Ｆn   Ｆn+1 （但し、Ｆn ＝abs(Ｓn ))
加算信号の符号；  ｓn-1   ｓn   ｓn+1 
３値化データ  ；  Ｄn-1   Ｄn   Ｄn+1 
復調データ    ；  Ｒn-1   Ｒn   Ｒn+1 
のようなデータを有するものとする。
【００４０】
ここに、Ｒn-2 ＝Ｒn-1 であれば、３Ｔ以上であり、最小ランレングス以内ではないとされる。従って、ｓn-1 ＋ｓn ＋ｓn+1 ＝０又はｓn-1 ＋ｓn ＋ｓn+1 ＝３であれば（Ｓ１１のＮ）、３値化データを１クロック前のまま、即ち、Ｑn ＝Ｑn-1 とする（Ｓ１０）。一方、ｓn-1 ＋ｓn ＋ｓn+1 ＝０，ｓn-1 ＋ｓn ＋ｓn+1 ＝３の何れでもなく、かつ、Ｒn-2 ＝Ｒn-1 であれば（Ｓ１１のＹ）、遷移状態を判定するために比較処理（Ｓ８）以降の処理を行う。
【００４１】
従って、本実施の形態によれば、遷移状態を示す値“００”に量子化する際に全てのクロックのサンプリング位置での評価関数の比較を要せず、評価関数の符号が変化し、かつ、変調規則を満たすサンプリング位置として遷移状態であると推測され得る場合だけの比較処理で済み、処理時間を短縮させることができ、より高速化を図れるとともにハードウェア構成も小規模化できる。
【００４２】
なお、図６は図５に示した第四の実施の形態に準ずる例として示したが、図１ないし図３に各々示した第一ないし第三の実施の形態にあっても、ステップＳ９及びＳ１０を付加することにより同様に適用できる。
【００４３】
本発明の第七の実施の形態を図７に基づいて説明する。本実施の形態は、加算信号から評価関数を求める際の基準値として遷移状態のレベルを示すレベル０に代えてｘなる値を用いるようにしたものである。即ち、評価関数は前述の実施の形態の場合と同様に、Ｆn-1 ，Ｆn ，Ｆn+1 の如く示されるが、Ｆn ＝abs(Ｓn −ｘ）として求められた値が用いられる。この基準値ｘは、ＤＣのオフセット分をキャンセルするため、変調方式における最大ランレングス（例えば、１１Ｔ）より十分に大きな期間ｍでのアナログ信号の振幅を示すＡＤデータＤｉ（ｉ＝ｎ−ｍ〜ｎ）を加算し、その加算値を期間ｍの長さで除算することにより得られる。（１）式にその演算式を示す。
【００４４】
【数１】
0003852727.tif 000002
【００４５】
そして、ステップＳ７に代えて、ステップＳ１２として示すように、状態１又は状態０の判定基準にこの基準値ｘが用いられる。
【００４６】
従って、本実施の形態によれば、評価関数Ｆを求める際の基準値ｘをアナログ信号の振幅を加算した加算値なる現実のデータに基づき求めることで、現実のデータにオフセットを生じていたとしてそのオフセット分をキャンセルでき、高密度記録された情報の再生を良好に行える。
【００４７】
なお、図７は図６に示した第六の実施の形態に準ずる例として示したが、図１ないし図５に各々示した第一ないし第五の実施の形態にあっても、そのステップＳ３又はＳ７をステップＳ１２に代えることにより同様に適用できる。
【００４８】
本発明の第八の実施の形態を説明する。本実施の形態は、第七の実施の形態に準ずるものであり、図７もそのまま適用されるが、その基準値ｘの求め方を代えたものである。即ち、基準値ｘとして、最大ランレングスより十分に大きい期間ｍ中での最小ランレングス（３Ｔ）のアナログ信号の振幅を全て加算した加算値を最小ランレングスの出現期間の長さｍ3 で除算した値を用いるようにしたものである。（２）式にその演算式を示す。式中、ＤｄｉはＡＤデータＤｉが３Ｔの場合にはＤｄｉ＝Ｄｉ，それ以外の場合はＤｄｉ＝０であり、また、ｍ3 は期間ｍの間における最小ランレングス３Ｔサンプルの出現期間の長さを示す。
【００４９】
【数２】
0003852727.tif 000003
【００５０】
本実施の形態による場合も、同様な効果が得られるが、評価関数Ｆ用の基準値ｘを特に振幅の小さな最小ランレングス３Ｔデータに基づき算出するため、より適正なオフセット対策となる。
【００５１】
本発明の第九の実施の形態を説明する。本実施の形態は、第八の実施の形態に準ずるものであり、図７もそのまま適用されるが、その基準値ｘの求め方を代えたものである。即ち、基準値ｘとして、最小ランレングス３Ｔのデータを利用するものの、本実施の形態では、最小ランレングス３Ｔの中間（中央）の値のみのアナログ信号の振幅を加算した加算値を最小ランレングスの出現数で除算した値を用いるようにしたものである。（３）式にその演算式を示す。式中、ＤｄｉはＡＤデータＤｉが３Ｔの中央である場合にはＤｄｉ＝Ｄｉ，それ以外の場合はＤｄｉ＝０であり、また、Ｎ3 は期間ｍの間における最小ランレングス３Ｔサンプルの出現数を示す。
【００５２】
【数３】
0003852727.tif 000004
【００５３】
本実施の形態による場合も、第八の実施の形態の場合と同様な効果が得られる。即ち、評価関数Ｆ用の基準値ｘを特に振幅の小さな最小ランレングス３Ｔデータに基づき算出するため、より適正なオフセット対策となる。
【００５４】
本発明の第十の実施の形態を説明する。本実施の形態も評価関数Ｆ用の基準値ｘの求め方に関するものであるが、期間ｍの長さ等で除算すのではなく、アナログ信号の振幅を最大ランレングスより十分に大きな値ｙで除算した値を１クロック前での評価関数における基準値ｘn-1 に加算した値を用いるようにしたものである。（４）式にその演算式を示す。式中、Ｄｄn は、ＡＤデータＤn が最小ンレングス３Ｔの中央である場合にはＤｄn ＝Ｄn 、それ以外の場合はＤｄn ＝０である。
【００５５】
【数４】
0003852727.tif 000005
【００５６】
従って、本実施の形態による場合も、第八，九の実施の形態の場合と同様な効果が得られる上に、処理時間を短縮させることができ、より高速化を図れるとともにハードウェア構成も小規模化できる。
【００５７】
【発明の効果】
請求項１に記載の発明によれば、注目クロックのサンプリング位置での評価関数の値と注目クロックの前後クロックのサンプリング位置での評価関数の値との大小比較を各々行い、注目クロックのサンプリング位置での評価関数の値が最も小さい場合には注目クロックのサンプリング位置での３値化データを、遷移状態を示す値に量子化し、前後クロックのサンプリング位置での評価関数の値のいずれかが最も小さい場合には注目クロックのサンプリング位置での加算信号に従い量子化することにより、遷移状態を示す値“００”に量子化する際に、前後のサンプリング位置でのデータ（評価関数の値）と比較して判定できるので、正しく量子化を行うことができ、よって、サンプリング位置のずれなどがあっても、量子化に伴う誤りを減少させることができ、光ディスクに高密度で記録された情報の再生を良好に行える。
【００５８】
また、請求項２、３に記載の発明によれば、請求項１記載の発明と同様の効果が得られるとともに、注目クロックのサンプリング位置での加算信号に代えて注目クロックのサンプリング位置で得られるＡＤデータに基づき状態１又は２を判定しているので、量子化の誤りをより減らすことができる。
【００５９】
また、請求項４、５、６に記載の発明によれば遷移状態を示す値“００”に量子化する際に、後のサンプリング位置でのデータ（評価関数の値）と比較して判定できるので、正しく量子化を行うことができ、よって、サンプリング位置のずれなどがあっても、量子化に伴う誤りを減少させることができるとともに、計算時間（処理時間）を短縮でき、より高速化を図れるとともにハードウェア構成も小規模化できる。
【図面の簡単な説明】
【図１】本発明の第一の実施の形態の処理例を示すフローチャートである。
【図２】本発明の第二の実施の形態の処理例を示すフローチャートである。
【図３】本発明の第三の実施の形態の処理例を示すフローチャートである。
【図４】本発明の第四の実施の形態の処理例を示すフローチャートである。
【図５】本発明の第五の実施の形態の処理例を示すフローチャートである。
【図６】本発明の第六の実施の形態の処理例を示すフローチャートである。
【図７】本発明の第七の実施の形態の処理例を示すフローチャートである。
【図８】一般的な光情報記録再生装置の概要を示すブロック図である。
【図９】その２値化回路の構成例を示すブロック図である。
【図１０】ＰＲＭＬ処理系の概要を示すブロック図である。
【図１１】その波形等化回路の構成例を示すブロック図である。
【図１２】理想的な再生波形の場合の波形等化処理例を示すタイムチャートである。
【図１３】その３値化の理想波形の場合を示すタイムチャートである。
【図１４】遷移状態の判定について説明するためのタイムチャートである。
【符号の説明】
８      情報記録媒体
【図１】
0003852727.tif 000006
【図２】
0003852727.tif 000007
【図３】
0003852727.tif 000008
【図４】
0003852727.tif 000009
【図５】
0003852727.tif 000010
【図６】
0003852727.tif 000011
【図７】
0003852727.tif 000012
【図８】
0003852727.tif 000013
【図９】
0003852727.tif 000014
【図１０】
0003852727.tif 000015
【図１１】
0003852727.tif 000016
【図１２】
0003852727.tif 000017
【図１３】
0003852727.tif 000018
【図１４】
0003852727.tif 000019